(57)【要約】【課題】主電源オフ時に補助電源として使用される補助電源ユニットを、低コストで備えることができる、画像形成装置を提供する。【解決手段】装置１００本体に脱着可能で、主電源オフ時に補助電源として使用される補助電源ユニット２００を備え、上記装置１００本体と補助電源ユニット２００とが端子２０１を介して電気的に接続される画像形成装置１００。【選択図】図３
2016012033.tif 000002
【特許請求の範囲】
【請求項１】
装置本体に脱着可能で、主電源オフ時に補助電源として使用される補助電源ユニットを備え、前記装置本体と補助電源ユニットとが端子を介して電気的に接続されることを特徴とする画像形成装置。
【請求項２】
請求項１に記載の画像形成装置において、
前記補助電源ユニットは、少なくとも１つの電源供給用コネクタを備えることを特徴とする画像形成装置。
【請求項３】
請求項１または２に記載の画像形成装置において、
前記補助電源ユニットは、装置本体の底面部に脱着可能に取り付けられることを特徴とする画像形成装置。
【請求項４】
請求項１〜３のいずれか一項に記載の画像形成装置において、
積層された用紙が収容される用紙収納部を備え、前記補助電源ユニットは、前記用紙収納部に挿脱可能に取り付けられることを特徴とする画像形成装置。
【請求項５】
請求項１〜４のいずれか一項に記載の画像形成装置において、
前記用紙収納部は少なくとも１段の給紙カセットを備え、前記補助電源ユニットは、最下段の給紙カセットに脱着可能に取り付けられることを特徴とする画像形成装置。
【請求項６】
請求項１〜５のいずれか一項に記載の画像形成装置において、
前記補助電源ユニットは、運搬用キャスターを備えることを特徴とする画像形成装置。
【発明の詳細な説明】
【技術分野】
【０００１】
本発明は、例えば複写機、プリンター、ファクシミリ等に用いられる画像形成装置に関する。
【背景技術】
【０００２】
従来より、複写機等に用いられる画像形成装置の補助電源としては、例えば、特許文献１に示すように、開閉可能な蓋を備えたケーシングに収納してなる電源ユニットが提案されている。特許文献１は、蓋またはケーシングに、内部視認用の窓を介して電源ユニットの内部を、一目で視認することが可能となり、故障時にサービス従事者がケーシング蓋を開けること無く、故障対策を速やかに判断できるようにしたものである。
【先行技術文献】
【特許文献】
【０００３】
【特許文献１】特開２００６−１７７７６号公報
【発明の概要】
【発明が解決しようとする課題】
【０００４】
しかしながら、特許文献１では、内部視認用の窓等が必要で、部品点数が多く、コストが高くなるという問題がある。
【０００５】
本発明は、かかる点に鑑みてなされたものであり、その目的は、主電源オフ時に補助電源として使用される補助電源ユニットを、低コストで備えることができる、画像形成装置を提供することにある。
【課題を解決するための手段】
【０００６】
本発明の画像形成装置は、装置本体に脱着可能で、主電源オフ時に補助電源として使用される補助電源ユニットを備え、前記装置本体と補助電源ユニットとが端子を介して電気的に接続されることを要旨とする。
【発明の効果】
【０００７】
本発明によれば、主電源オフ時に補助電源として使用される補助電源ユニットを備えた画像形成装置を、低コストで提供することができる。
【図面の簡単な説明】
【０００８】
【図１】補助電源ユニット取付前の、画像形成装置の内部構成を示す概略図である。
【図２】補助電源ユニット取付前の、画像形成装置の外観を示す斜視図である。
【図３】本発明の一実施形態に係る画像形成装置（補助電源ユニットを取り付けた状態）の外観を示す側面図である。
【図４】図３の画像形成装置における補助電源ユニットの斜視図である。
【図５】図３の画像形成装置における補助電源ユニットの斜視図である。
【図６】図３の画像形成装置における補助電源ユニットの斜視図である。
【発明を実施するための形態】
【０００９】
以下、本発明の実施形態を図面に基づいて詳細に説明する。なお、以下では、本発明に係る画像形成装置として、コピー機、プリンター及びファクシミリ等の機能を併せ持つ電子写真方式の複合機を例示して説明する。
【００１０】
図１は、補助電源ユニット２００（図３参照）取付前の、画像形成装置１００の内部構成を示す概略図である。画像形成装置１００の下部には、カセットタイプの用紙収納部１０が配設されている。用紙収納部１０は、例えば、上下２段の給紙カセット１０ａ、１０ｂを有し、給紙カセット１０ａ、１０ｂには印刷前の用紙が積載して収納されている。給紙カセット１０ａ、１０ｂに収納された用紙は、選択された給紙カセット１０ａ（１０ｂ）から用紙ピックアップローラー１０ｄ（１０ｅ）により１枚ずつ繰り出され、繰り出された用紙は用紙搬送路１１へと送り出される。
【００１１】
画像形成装置１００の右側面には、手差しトレー１０ｃが配設されている。手差しトレー１０ｃは、給紙カセット１０ａ、１０ｂと異なるサイズの用紙が載置可能である。手差しトレー１０ｃに載置された用紙は用紙搬送路１１へと送り出される。
【００１２】
用紙搬送路１１は、用紙収納部１０の左方にて装置本体２の上下方向に延設される。用紙収納部１０から送り出された用紙が、用紙搬送路１１上方のレジストローラー対１２に搬送される。レジストローラー対１２は、用紙にトナー像を転写するタイミングと同期をとって、画像形成部３に向けて用紙を送り出す。
【００１３】
画像形成装置１００の上部には原稿読取装置６が配設され、原稿読取装置６の上面には、プラテン（原稿押さえ）２４が開閉可能に設けられ、さらに、プラテン２４上には原稿搬送装置２７が付設されている。原稿のコピーを行う場合、原稿搬送装置２７に載置された原稿が１枚ずつ分離されて原稿読取部に送り出され、原稿読取装置６によって原稿の画像データが読み取られる。
【００１４】
画像形成装置１００の略中央部には、画像形成部３が配設されている。画像形成部３は、像担持体である感光体５を備え、さらに感光体５の周辺にその回転方向（図中のＡ方向）に沿って順に、帯電部４と、露光ユニット７と、現像部８と、転写ローラー１３、及びクリーニング部１８を備える。現像部８へのトナーの供給はトナーコンテナ９から行われる。クリーニング部１８は、ブレードやブラシ或いは研磨ローラー等のクリーニング部材を有し、クリーニング部材によって感光体５の表面に残留するトナーを剥ぎ取り、回収する。
【００１５】
感光体５の表面が帯電部４によって所定の極性および電位で一様に帯電されると、露光ユニット７は、原稿読取装置６によって読み取られた原稿の画像データに基づいて、感光体５上に原稿画像の静電潜像を形成する。
【００１６】
現像部８は、帯電したトナーを感光体５の表面に供給し、感光体５上の静電潜像を現像してトナー像を形成する。トナー像は転写ローラー１３によって用紙上に転写される。トナー像が転写された用紙は、用紙搬送路１１の上方に配設される定着部１４へと搬送される。用紙にトナー像が転写された後、感光体５の表面に残留するトナーがクリーニング部１８によってクリーニングされて回収され、さらに図示しない除電装置によって感光体５の表面の残留電荷が除去される。
【００１７】
定着部１４は、熱源を内蔵する定着ローラー１４ａと加圧ローラー１４ｂとを有し、トナー像が転写された用紙を定着ローラー１４ａ及び加圧ローラー１４ｂによって加圧加熱し、用紙上のトナー像を溶融定着させる。トナー像が定着された用紙は、用紙搬送路１１において右上方に搬送され排出ローラー対２０によって排出部である胴内排紙部１７に排出される。
【００１８】
定着部１４と排出ローラー対２０との間の用紙搬送路１１から分岐して反転搬送路１６が設けられる。反転搬送路１６は、用紙の一方の面にトナー像が定着された後、必要に応じて用紙の他方の面にもトナー像を形成するときに用いられるものであり、定着部１４の上方から定着部１４の周りを覆い、さらに装置本体２の下方に延設され、レジストローラー対１２の近傍の用紙搬送路１１に合流している。
【００１９】
両面印刷を行う場合には、一方の面にトナー像が定着された用紙は、胴内排紙部１７に排出させる途中において、用紙搬送路１１と反転搬送路１６との分岐部を用紙の後端が通過したタイミングで排出ローラー対２０を逆回転させる。これによって、用紙がスイッチバックされ、用紙の印刷面が表裏逆向きにされた状態で反転搬送路１６に送られ、反転搬送路１６から再び用紙搬送路１１のレジストローラー対１２に搬送される。その後、画像形成部３にて用紙の他方の面にもトナー像が転写されると、用紙は定着部１４によって定着処理され胴内排紙部１７に排出される。
【００２０】
図２は、補助電源ユニット２００（図３参照）取付前の、画像形成装置１００の外観を示す斜視図である。図２に示すように、画像形成装置１００は、前面部２ａと、両側の側面部２ｂと、後面部２ｃによって装置本体２の外郭を縦長の直方体状に形成される。前面部２ａには、用紙収納部１０及び操作パネル２１及び前カバー２２が配設される。用紙収納部１０を前面部２ａ側に引き出し、印刷前の用紙が用紙収納部１０に収容される。操作パネル２１は、液晶素子からなる操作部及び表示部を有し、操作部からの印刷枚数や用紙サイズの指令に基づいて、表示部では印刷モード等が表示される。前カバー２２の下端付近の支軸で上端側が前方に開放可能に支持されている。画像形成装置１００の底面の四隅には、キャスター２ｄが設けられ、画像形成装置１００がキャスター２ｄによって搬送され、所定の位置にてキャスター２ｄをロックすることで事務所等の床面に固定される。
【００２１】
図３は、本発明の一実施形態に係る、補助電源ユニット２００を取り付けた状態の画像形成装置１００の外観を示す側面図であり、用紙収納部１０から補助電源ユニット２００を前面部２ａ側に引き出した状態を示す。図４〜図６は、図３の画像形成装置１００に取り付けた補助電源ユニット２００の斜視図である。
【００２２】
補助電源ユニット２００は、図４に示すように、前面部２００ａと、両側の側面部２００ｂと、後面部２００ｃ（図５参照）によって補助電源ユニット２００本体の外郭を直方体状に形成される。補助電源ユニット２００は、複数の端子２０１と、複数（図では２個）の電源供給用コネクタ２０２と、左右一対の運搬用キャスター２０３と、把手２０４と、左右一対の小型キャスター２０５（図６参照）とを備えている。
【００２３】
補助電源ユニット２００の内部には、図示しないが、少なくとも１個のバッテリーが収容されている。バッテリーとしては、例えば、リチウムイオン二次電池、ニッケル・カドミウム蓄電池等が使用され、複数の電池が直列接続されている。補助電源ユニット２００内部のバッテリーの充電は、画像形成装置１００自体の電源から充電してもよく、もしくは外部電源から充電してもよい。
【００２４】
補助電源ユニット２００は、画像形成装置１００の最下段の給紙カセット１０ｂ（図１参照）を取り外した位置に、装置１００本体に脱着可能に取り付けられる。
【００２５】
補助電源ユニット２００の後面部２００ｃには、複数の端子２０１が設けられ、補助電源ユニット２００の端子２０１と、画像形成装置１００とが接続(電気的接続)されている。画像形成装置１００は、基本的に商用電源（例えばＡＣ１００Ｖ電源）から供給される電力によって動作するが、補助電源ユニット２００は、主電源オフ時の補助電源として使用される。
【００２６】
補助電源ユニット２００の側面部２００ｂには、複数（図では２個）の電源供給用コネクタ２０２を備えており、緊急時等に、外部に電力を供給することもできる。
【００２７】
図６に示すように、補助電源ユニット２００の底部２００ｄの隅部には、左右一対の運搬用キャスター２０３が取り付けられている。運搬用キャスター２０３は、補助電源ユニット２００の底部２００ｄの溝部２００ｅに収納可能になっている。なお、補助電源ユニット２００の底部２００ｄの隅部には、左右一対の小型キャスター２０５も取り付けられている。
【００２８】
補助電源ユニット２００の前面部２００ａには、移動や運搬を容易にするための把手２０４が取り付けられている。
【００２９】
本実施形態によれば、補助電源ユニット２００は、画像形成装置１００の最下段の給紙カセット１０ｂ（図１参照）を取り外した位置に取り付けるため、転落防止効果が得られる。なお、補助電源ユニット２００は、上段の給紙カセット１０ａ（図１参照）を取り外した位置に取り付けることも可能である。
【００３０】
また、補助電源ユニット２００の底部２００ｄには、運搬用キャスター２０３が取り付けられているため、運搬が容易であり、他の電子機器等の補助電源としても使用することができる。
【００３１】
また、補助電源ユニット２００は、図３に示すように、用紙収納部１０から前面部２ａ側に引き出すと、踏み台として使用することもできる。
【００３２】
なお、本発明では、補助電源ユニット２００は、装置１００本体の底面部に取り付けることも可能であり、下段の給紙カセット１０ｂ（図１参照）を取り外した位置に取り付ける場合よりも、より優れた転落防止効果が得られる。
【００３３】
また、本発明では、後処理装置等のオプション機器を設けることも可能である。
【００３４】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味及び範囲内でのすべての変更が含まれる。
【産業上の利用可能性】
【００３５】
本発明の画像形成装置は、例えば複写機、プリンター、ファクシミリ等に適用可能である。
【符号の説明】
【００３６】
１００  画像形成装置
２００  補助電源ユニット
２０１  端子
２０２  電源供給用コネクタ
２０３  運搬用キャスター
【図１】
2016012033.tif 000003
【図２】
2016012033.tif 000004
【図３】
2016012033.tif 000005
【図４】
2016012033.tif 000006
【図５】
2016012033.tif 000007
【図６】
2016012033.tif 000008